(57)【要約】【課題】自動車利用の顧客による複数店舗での購買に伴う決済を効率化し、当該顧客における決済の手間を低減可能とする。【解決手段】カーウォレット決済システム１００において、管理テーブル１２５を記憶する記憶装置１０１と、車両から取得した識別情報を管理テーブル１２５に照合し車両に関して識別情報が一致する顧客の生体認証用情報を特定し、車両に乗車している顧客から読み取った生体情報に基づく生体認証に成功した場合、購買機会に際し生体認証を行って成功した顧客に関して当該購買の内容を蓄積し、当該顧客が車両で退出する際、決済手段たるカード情報に基づく決済処理を実行し、決済完了に応じて入退出制御装置に対し退出許可指示を通知する演算装置１０４を含む構成とする。【選択図】図２
2018041181.tif 000002
【特許請求の範囲】
【請求項１】
所定施設を利用する顧客の生体認証用情報と、当該顧客の車両の識別情報と、当該顧客が利用する決済手段の情報と、を対応付けた管理テーブルを記憶する記憶装置と、
前記施設の所定領域に入った車両から取得した当該車両の識別情報を、前記管理テーブルに照合して、車両に関して当該識別情報が一致する顧客の生体認証用情報を特定する処理と、
前記車両に乗車している顧客から読み取った生体情報と、前記特定した生体認証用情報とに基づく生体認証に成功した場合、当該顧客による前記施設における複数店舗それぞれでの購買の機会に際し、当該顧客から読み取った生体情報に基づく生体認証を行い、当該生体認証に成功した顧客に関して当該購買の内容を記憶装置に蓄積する処理と、
当該顧客の決済手段がカード決済の場合、当該顧客が前記所定領域から前記車両で退出する際または前記購買に伴う決済の際に、当該決済手段たるカードの情報に基づく、前記蓄積した購買の内容に応じた決済処理を実行する処理と、
前記決済処理が完了したことに応じて、前記所定領域における入退出制御装置に対し、当該車両での退出を許可する指示を通知する処理と、を実行する演算装置と、
を含むことを特徴とするカーウォレット決済システム。
【請求項２】
前記演算装置は、
前記決済処理に際し、当該顧客の決済手段が現金の場合、当該顧客が前記所定領域から車両で退出する際に、当該顧客が支払う現金に基づく決済処理を実行するものである、
ことを特徴とする請求項１に記載のカーウォレット決済システム。
【請求項３】
前記記憶装置は、
前記管理テーブルにおいて、前記車両の識別情報に対し、１または複数の顧客の生体認証用情報および決済手段の情報を対応付けて格納しているものであり、
前記演算装置は、
前記生体認証用情報を特定する処理に際し、前記所定領域に入った車両から取得した当該車両の識別情報を、前記管理テーブルに照合して、車両に関して当該識別情報が一致する、１または複数の顧客の生体認証用情報を特定し、
前記購買の内容を記憶装置に蓄積する処理に際し、前記車両に乗車している１または複数の顧客のうち、決済実行者である顧客から読み取った生体情報と、前記特定した１または複数の生体認証用情報とに基づく生体認証に成功した場合、当該車両に乗車していた１または複数の顧客それぞれによる前記施設における複数店舗それぞれでの購買の機会に際し、当該購買を行う顧客から読み取った生体情報に基づく生体認証を行い、当該生体認証に成功した場合、前記決済実行者たる顧客に関して当該購買の内容を記憶装置に蓄積し、
前記決済処理に際し、前記決済実行者たる顧客の決済手段がカード決済の場合、当該顧客が前記所定領域から車両で退出する際または前記購買に伴う決済の際に、当該決済手段たるカードの情報に基づく、前記蓄積した購買の内容に応じた決済処理を実行するものである、
ことを特徴とする請求項１に記載のカーウォレット決済システム。
【請求項４】
前記記憶装置は、
前記管理テーブルにおいて、前記所定施設を利用する顧客の生体認証用情報と、当該顧客が前記所定施設の訪問に一時的に利用する所定車両の識別情報と、当該顧客が利用する決済手段の情報と、を対応付けて記憶するものであり、
前記演算装置は、
前記生体認証用情報を特定する処理に際し、前記所定領域に入った、前記所定車両から取得した当該車両の識別情報を、前記管理テーブルに照合して、車両に関して当該識別情報が一致する顧客の生体認証用情報を特定し、
前記購買の内容を記憶装置に蓄積する処理に際し、前記所定車両に乗車している顧客から読み取った生体情報と、前記特定した生体認証用情報とに基づく生体認証に成功し、かつ、当該顧客に関して所定決済手段が前記管理テーブルに登録済みである場合、当該顧客による前記施設における複数店舗それぞれでの購買の機会に際し、当該顧客から読み取った生体情報に基づく生体認証を行い、当該生体認証に成功した顧客に関して当該購買の内容を記憶装置に蓄積し、
前記決済処理に際し、当該顧客が前記所定領域から前記所定車両で退出する際または前記購買に伴う決済の際に、前記所定決済手段の情報に基づく、前記蓄積した購買の内容に応じた決済処理を実行し、
前記指示を通知する処理に際し、前記所定車両に乗車する各顧客の前記決済処理が完了したことに応じて、前記所定領域における入退出制御装置に対し、当該車両での退出を許可する指示を通知するものである、
ことを特徴とする請求項１に記載のカーウォレット決済システム。
【請求項５】
所定施設を利用する顧客の生体認証用情報と、当該顧客の車両の識別情報と、当該顧客が利用する決済手段の情報と、を対応付けた管理テーブルを記憶する記憶装置を備える情報処理システムが、
前記施設の所定領域に入った車両から取得した当該車両の識別情報を、前記管理テーブルに照合して、車両に関して当該識別情報が一致する顧客の生体認証用情報を特定する処理と、
前記車両に乗車している顧客から読み取った生体情報と、前記特定した生体認証用情報とに基づく生体認証に成功した場合、当該顧客による前記施設における複数店舗それぞれでの購買の機会に際し、当該顧客から読み取った生体情報に基づく生体認証を行い、当該生体認証に成功した顧客に関して当該購買の内容を記憶装置に蓄積する処理と、
当該顧客の決済手段がカード決済の場合、当該顧客が前記所定領域から前記車両で退出する際または前記購買に伴う決済の際に、当該決済手段たるカードの情報に基づく、前記蓄積した購買の内容に応じた決済処理を実行する処理と、
前記決済処理が完了したことに応じて、前記所定領域における入退出制御装置に対し、当該車両での退出を許可する指示を通知する処理と、
を実行することを特徴とするカーウォレット決済方法。
【請求項６】
前記情報処理システムが、
前記決済処理に際し、当該顧客の決済手段が現金の場合、当該顧客が前記所定領域から車両で退出する際に、当該顧客が支払う現金に基づく決済処理を実行する、
ことを特徴とする請求項５に記載のカーウォレット決済方法。
【請求項７】
前記情報処理システムが、
前記記憶装置の、前記管理テーブルにおいて、前記車両の識別情報に対し、１または複数の顧客の生体認証用情報および決済手段の情報を対応付けて格納し、
前記生体認証用情報を特定する処理に際し、前記所定領域に入った車両から取得した当該車両の識別情報を、前記管理テーブルに照合して、車両に関して当該識別情報が一致する、１または複数の顧客の生体認証用情報を特定し、
前記購買の内容を記憶装置に蓄積する処理に際し、前記車両に乗車している１または複数の顧客のうち、決済実行者である顧客から読み取った生体情報と、前記特定した１または複数の生体認証用情報とに基づく生体認証に成功した場合、当該車両に乗車していた１または複数の顧客それぞれによる前記施設における複数店舗それぞれでの購買の機会に際し、当該購買を行う顧客から読み取った生体情報に基づく生体認証を行い、当該生体認証に成功した場合、前記決済実行者たる顧客に関して当該購買の内容を記憶装置に蓄積し、
前記決済処理に際し、前記決済実行者たる顧客の決済手段がカード決済の場合、当該顧客が前記所定領域から車両で退出する際または前記購買に伴う決済の際に、当該決済手段
たるカードの情報に基づく、前記蓄積した購買の内容に応じた決済処理を実行する、
ことを特徴とする請求項５に記載のカーウォレット決済方法。
【請求項８】
前記情報処理システムが、
前記記憶装置の、前記管理テーブルにおいて、前記所定施設を利用する顧客の生体認証用情報と、当該顧客が前記所定施設の訪問に一時的に利用する所定車両の識別情報と、当該顧客が利用する決済手段の情報と、を対応付けて記憶し、
前記生体認証用情報を特定する処理に際し、前記所定領域に入った、前記所定車両から取得した当該車両の識別情報を、前記管理テーブルに照合して、車両に関して当該識別情報が一致する顧客の生体認証用情報を特定し、
前記購買の内容を記憶装置に蓄積する処理に際し、前記所定車両に乗車している顧客から読み取った生体情報と、前記特定した生体認証用情報とに基づく生体認証に成功し、かつ、当該顧客に関して所定決済手段が前記管理テーブルに登録済みである場合、当該顧客による前記施設における複数店舗それぞれでの購買の機会に際し、当該顧客から読み取った生体情報に基づく生体認証を行い、当該生体認証に成功した顧客に関して当該購買の内容を記憶装置に蓄積し、
前記決済処理に際し、当該顧客が前記所定領域から前記所定車両で退出する際または前記購買に伴う決済の際に、前記所定決済手段の情報に基づく、前記蓄積した購買の内容に応じた決済処理を実行し、
前記指示を通知する処理に際し、前記所定車両に乗車する各顧客の前記決済処理が完了したことに応じて、前記所定領域における入退出制御装置に対し、当該車両での退出を許可する指示を通知する、
ことを特徴とする請求項５に記載のカーウォレット決済方法。
【発明の詳細な説明】
【技術分野】
【０００１】
本発明は、カーウォレット決済システムおよびカーウォレット決済方法に関するものであり、具体的には、自動車利用の顧客による複数店舗での購買に伴う決済を効率化し、当該顧客における決済の手間を低減可能とする技術に関する。
【背景技術】
【０００２】
店舗に自動車で来店し、そこで買い物をする顧客に対し、駐車料金を事前精算させ、スムーズな来店と退店を図る各種の技術が提案されている。
【０００３】
このような技術に関連する従来技術としては、例えば、駐車された車両に給電する給電設備を管理する給電設備管理サーバと、前記給電設備管理サーバと通信し、前記給電に伴う電気料金の支払いを管理するとともに、前記車両の利用者が購入した商品または受けたサービスの対価の支払いを管理する支払い管理サーバと、を備え、前記給電設備管理サーバは、前記給電設備から、前記給電設備の利用者を識別する利用者識別情報、前記車両を特定する車両識別情報、および前記車両が給電を受けるときの給電装置を特定する装置識別情報の少なくとも一つを含む課金先情報を取得する課金先取得手段と、前記車両に給電した電気料金の課金に係る情報を取得する課金情報取得手段と、前記課金先情報と前記電気料金の課金に係る情報とを前記支払い管理サーバに引き渡す手段と、を有し、前記支払い管理サーバは、前記課金先情報に対応する利用者が購入した商品または受けたサービスの購入に伴う対価を確定する手段と、前記課金先情報に対応する電気料金の課金に係る情報を取得する手段と、前記商品またはサービスの対価とともに前記電気料金の課金に係る情報に該当する電気料金が支払い済み状態となったときに、前記給電設備管理サーバに支払い済みを通知する手段と、を有する情報システム（特許文献１参照）などが提案されている。
【先行技術文献】
【特許文献】
【０００４】
【特許文献１】特開２０１１−１７５３９９号公報
【発明の概要】
【発明が解決しようとする課題】
【０００５】
ところで、顧客がショッピングモール内の各店舗で買物を行う場合、当該店舗毎に決済を完了する必要がある。そのため、そのショッピングモール内のテナント数が多く、買物機会も増えるほど、顧客における決済手続の頻度は増えることになる。また、ショッピングモールでの来店顧客数が多くなるほど、各店舗にて決済待ちでレジ前に滞留する顧客も多くなり、各顧客の満足度は低下し、各店舗での顧客回転率等の営業効率も低下する。
【０００６】
そこで本発明の目的は、自動車利用の顧客による複数店舗での購買に伴う決済を効率化し、当該顧客における決済の手間を低減可能とする技術を提供することにある。
【課題を解決するための手段】
【０００７】
上記課題を解決する本発明のカーウォレット決済システムは、所定施設を利用する顧客の生体認証用情報と、当該顧客の車両の識別情報と、当該顧客が利用する決済手段の情報と、を対応付けた管理テーブルを記憶する記憶装置と、前記施設の所定領域に入った車両から取得した当該車両の識別情報を、前記管理テーブルに照合して、車両に関して当該識別情報が一致する顧客の生体認証用情報を特定する処理と、前記車両に乗車している顧客から読み取った生体情報と、前記特定した生体認証用情報とに基づく生体認証に成功した
場合、当該顧客による前記施設における複数店舗それぞれでの購買の機会に際し、当該顧客から読み取った生体情報に基づく生体認証を行い、当該生体認証に成功した顧客に関して当該購買の内容を記憶装置に蓄積する処理と、当該顧客の決済手段がカード決済の場合、当該顧客が前記所定領域から前記車両で退出する際または前記購買に伴う決済の際に、当該決済手段たるカードの情報に基づく、前記蓄積した購買の内容に応じた決済処理を実行する処理と、前記決済処理が完了したことに応じて、前記所定領域における入退出制御装置に対し、当該車両での退出を許可する指示を通知する処理と、を実行する演算装置と、を含むことを特徴とする。
【０００８】
また、本発明のカーウォレット決済方法は、所定施設を利用する顧客の生体認証用情報と、当該顧客の車両の識別情報と、当該顧客が利用する決済手段の情報と、を対応付けた管理テーブルを記憶する記憶装置を備える情報処理システムが、前記施設の所定領域に入った車両から取得した当該車両の識別情報を、前記管理テーブルに照合して、車両に関して当該識別情報が一致する顧客の生体認証用情報を特定する処理と、前記車両に乗車している顧客から読み取った生体情報と、前記特定した生体認証用情報とに基づく生体認証に成功した場合、当該顧客による前記施設における複数店舗それぞれでの購買の機会に際し、当該顧客から読み取った生体情報に基づく生体認証を行い、当該生体認証に成功した顧客に関して当該購買の内容を記憶装置に蓄積する処理と、当該顧客の決済手段がカード決済の場合、当該顧客が前記所定領域から前記車両で退出する際または前記購買に伴う決済の際に、当該決済手段たるカードの情報に基づく、前記蓄積した購買の内容に応じた決済処理を実行する処理と、前記決済処理が完了したことに応じて、前記所定領域における入退出制御装置に対し、当該車両での退出を許可する指示を通知する処理と、を実行することを特徴とする。
【発明の効果】
【０００９】
本発明によれば、自動車利用の顧客による複数店舗での購買に伴う決済を効率化し、当該顧客における決済の手間を低減可能となる。
【図面の簡単な説明】
【００１０】
【図１】本実施形態におけるカーウォレット決済システムを含むネットワーク構成図である。
【図２】本実施形態におけるカーウォレット決済システムのハードウェア構成例を示す図である。
【図３】本実施形態におけるゲートのハードウェア構成例を示す図である。
【図４】本実施形態における店舗端末のハードウェア構成例を示す図である。
【図５】本実施形態におけるユーザ端末のハードウェア構成例を示す図である。
【図６】本実施形態における駐車料金精算装置のハードウェア構成例を示す図である。
【図７】本実施形態の管理テーブルのデータ構成例を示す図である。
【図８】本実施形態の購買データベースのデータ構成例を示す図である。
【図９】本実施形態におけるカーウォレット決済方法のフロー例１を示す図である。
【図１０】本実施形態におけるカーウォレット決済方法のフロー例２を示す図である。
【図１１】本実施形態におけるカーウォレット決済方法のフロー例３を示す図である。
【図１２】本実施形態におけるカーウォレット決済方法のフロー例４を示す図である。
【発明を実施するための形態】
【００１１】
−−−ネットワーク構成−−−
【００１２】
以下に本発明の実施形態について図面を用いて詳細に説明する。図１は、本実施形態のカーウォレット決済システム１００を含むネットワーク構成図である。図１に示すカーウォレット決済システム１００は、自動車利用の顧客による複数店舗での購買に伴う決済を効率化し、当該顧客における決済の手間を低減可能とするコンピュータシステムである。
【００１３】
本実施形態では、顧客が車両２５で訪れて利用する施設の一例としてショッピングモール２０を想定する。また、この場合の顧客は、当該ショッピングモール２０の店舗すなわち各テナント２１を訪れて、商品やサービスの購買活動を行うものとする。
【００１４】
上述のテナント２１のそれぞれには、ＰＯＳなどの店舗端末３００が備わる。本実施形態のカーウォレット決済方法が適用されていない、旧来の顧客が当該テナント２１を訪れて購買活動を行った場合、店舗スタッフが店舗端末３００を操作して、当該顧客が手交したクレジットカードや現金により、商品やサービスの代金に対する通常の決済手続を行うことになる。
【００１５】
他方、本実施形態のカーウォレット決済方法が適用された顧客が、上述のテナント２１を訪れて購買活動を行った場合、店舗スタッフは、当該顧客に対して、店舗端末３００に備わる生体読取りセンサー３１０に所定部位をセットするよう案内する。生体読取りセンサー３１０は、当該顧客の所定部位に対するセンシング動作を行って生体情報データを取得する。また、店舗端末３００は、この生体情報データをカーウォレット決済システム１００に送信する。
【００１６】
なお、上述のように送信される生体情報データは、好ましくは、店舗端末３００が当該生体情報データに関して、本願出願人が開発済みのテンプレート公開型生体認証基盤（参考。http://www.hitachi.co.jp/rd/portal/contents/story/pbi/index.html）のプロトコルに沿って加工を行った所定データ（生体情報テンプレート）である（以下、同様）。この場合、生体認証の処理や機器間での生体情報の授受に対応する種々の機能、ハードウェアを、当該ネットワーク１０に含まれる各機器が備え、テンプレート公開型生体認証基盤におけるプロトコルに則って適宜に処理を実行するものとする。
【００１７】
カーウォレット決済システム１００では、上述の生体情報データを店舗端末３００から得て、これを後述する管理テーブル１２５に照合して、生体認証処理を実行する。この生体認証処理自体は既存技術によるものであり、好ましくは上述のテンプレート公開型生体認証基盤に基づくものである。また、カーウォレット決済システム１００は、上述の生体認証処理の結果を、店舗端末３００に返す。
【００１８】
店舗端末３００では、生体認証処理の結果が認証成功を示すものであれば、当該顧客による購買の内容（具体的には、購買対象となった商品やサービスの識別情報とその金額）を、カーウォレット決済システム１００に通知する。カーウォレット決済システム１００は、当該購買の内容を上述の顧客と対応付けて、購買データベース１２６に格納することとなる。
【００１９】
なお、上述の顧客は、ショッピングモール２０を訪れた際、乗車してきた車両２５を運転してゲート２３を通過し、当該ゲート２３の内側にある駐車場２２に駐車する。
【００２０】
このゲート２３は、例えば、駐車場２２に入場しようとする車両２５の存在を適宜なセンサー類（例：移動体センサーや赤外線センサー）で感知し、アナウンス音声等の出力や駐車券の発券など駐車場に一般的な手続動作を実行すると共に、当該車両のナンバープレートをデジタルカメラ２３１で撮影して、その撮影画像から読み取った車両ナンバーのデ
ータを、カーウォレット決済システム１００に送信する機能を具備する。
【００２１】
また、ゲート２３には、生体読取りセンサー２３２が備わる。当該ゲート２３を通過しようとする車両２５の乗員、すなわち上述の顧客は、ゲート２３の通過に際して生体読取りセンサー２３２に自身の所定部位をセットする。一方、生体読取りセンサー２３２は、当該顧客の所定部位に対するセンシング動作を実行して生体情報データを取得する。ゲート２３は、この生体情報データを、カーウォレット決済システム１００に送信する機能を具備する。
【００２２】
一方、カーウォレット決済システム１００は、上述のゲート２３から得た車両ナンバーのデータと生体情報のデータとを対応付けて管理テーブル１２５に格納することとなる。
【００２３】
なお、本実施形態における生体情報の具体例としては、指紋、指静脈、虹彩、筆跡、掌静脈、顔、声紋など様々な生体情報を想定可能であり、カーウォレット決済システム１００やゲート２３、店舗端末３００で実装する生体認証機構に応じた適宜な種類の生体情報であればよい。
【００２４】
また、ゲート２３は、このゲート２３を通過して駐車場２２から退出しようとする車両２５に関する、後述するカーウォレット決済システム１００からの退出許可の指示に応じて、ゲート機構２３５の開動作を実行する。勿論、当該退出許可の指示が無い場合、或いは、退出不許可の指示があった場合、ゲート２３は上述の開動作を実行せず、当該車両２５は退出出来ない。
【００２５】
なお、顧客がショッピングモール２０での購買活動を終え、帰途につくべく駐車場２２に向かうとする。この時、この顧客が駐車料金の精算を行うのが、駐車料金精算装置２４である。駐車料金精算装置２４は、当該顧客が所定のインターフェイスに挿入した駐車券（車両入場時にゲート２３が発券したもの）を読み込んで、この駐車券に記録された駐車開始時刻と現在時刻との間の時間に基づく駐車料金を算定、表示し、その精算を顧客から受ける装置である。
【００２６】
但し、本実施形態の駐車料金精算装置２４は、駐車料金精算の機能のみならず、当該顧客によるショッピングモール２０での購買活動に伴う商品代金等の精算処理も担うことになる。従って、この駐車料金精算装置２４は、駐車料金と商品代金等の各精算が完了した場合、その旨をカーウォレット決済システム１００に通知し、ゲート２３でのゲート機構２３５の開動作につなげる。なお、ゲート２３に駐車料金精算装置２４の機能が備わっているとしてもよい。
【００２７】
また、上述の顧客は、図１で例示するように、スマートフォン等のユーザ端末２００を所持するとしてもよい。この場合、ユーザ端末２００は、例えばゲート２３のビーコン発信器２３６（図３）が発信するビーコン電波を受信して、当該ビーコン電波が示すＵＲＬにアクセスする。このＵＲＬは、カーウォレット決済システム１００が提供するＷＥＢシステムのＵＲＬである。
【００２８】
このユーザ端末２００を操作する顧客は、上述のＷＥＢシステムの画面を閲覧し、当該画面での指示に応じて、ユーザ端末２００の生体読取りセンサー２１０に所定部位をセットする。生体読取りセンサー２１０は、当該顧客の所定部位に対するセンシングを行って生体情報データを取得する。またユーザ端末２００は、この生体情報データをＷＥＢシステムを介してカーウォレット決済システム１００に送信する。
【００２９】
この場合のカーウォレット決済システム１００は、ゲート２３から当該顧客の生体情報
データを取得し、この生体情報データを、当該ゲート２３から得ている車両ナンバーのデータと対応付けて管理テーブル１２５に格納することとなる。
−−−ハードウェア構成−−−
【００３０】
また、カーウォレット決済システム１００のハードウェア構成は以下の如くとなる。当該カーウォレット決済システム１００は、ＳＳＤ（Ｓｏｌｉｄ  Ｓｔａｔｅ  Ｄｒｉｖｅ）やハードディスクドライブなど適宜な不揮発性記憶素子で構成される記憶装置１０１、ＲＡＭなど揮発性記憶素子で構成されるメモリ１０３、記憶装置１０１に保持されるプログラム１０２をメモリ１０３に読み出すなどして実行し装置自体の統括制御を行なうとともに各種判定、演算及び制御処理を行なうＣＰＵなどの演算装置１０４、ネットワーク１０と接続し他装置との通信処理を担う通信装置１０５、を備える。
【００３１】
なお、記憶装置１０１内には、本実施形態のカーウォレット決済システム１００として必要な機能を実装する為のプログラム１０２に加えて、管理テーブル１２５、および購買データベース１２６が少なくとも記憶されている。この管理テーブル１２５および購買データベース１２６の詳細については後述する。
【００３２】
また図３に、本実施形態におけるゲート２３のハードウェア構成例を示す。本実施形態のゲート２３は、入場しようとする車両２５の存在を感知するセンサーや、車両２５の入退出を物理的に制限するゲート機構２３５、アナウンス音声等の出力や駐車券の発券手続動作を実行する駐車券処理機構２３４に加え、車両２５のナンバープレートを撮影するデジタルカメラ２３１、当該車両２５の乗員の生体情報をセンシングする生体読取りセンサー２３２、コンピュータ２３３、および、ビーコン発信器２３６を備える。
【００３３】
このうちコンピュータ２３３は、記憶装置２３３１、メモリ２３３３、演算装置２３３４、および通信装置２３３５といった一般的なコンピュータ装置と同様の構成を備えている。その記憶装置２３３１に保持されるプログラム２３３２は、デジタルカメラ２３１による撮影画像から車両ナンバーを読み取る文字認識機能と、生体読取りセンサー２３２で得た生体情報データに対する所定加工（生体認証のプロトコルに応じたもの）を行う機能と、上述の車両ナンバーや加工済みの生体情報データをカーウォレット決済システム１００に送信する機能と、カーウォレット決済システム１００からの指示に応じてゲート機構２３５の開動作を制御する機能、を実装するプログラムである。
【００３４】
また、ビーコン発信器２３６は、所定ＵＲＬの情報を含むビーコン電波を、例えば所定時間毎に所定範囲に向けて発信する装置である。なお、上述のＵＲＬは、カーウォレット決済システム１００が提供するＷＥＢシステムのＵＲＬである。このＷＥＢシステムは、ユーザ端末２００を操作中の顧客に対して生体読取りセンサー２１０への所定部位のセットを誘導し、当該生体読取りセンサー２１０での生体情報データをカーウォレット決済システム１００に送信するものとなる。
【００３５】
また図４に、本実施形態の店舗端末３００のハードウェア構成例を示す。本実施形態の店舗端末３００は、従来の店舗端末が備えるＰＯＳ等の既存構成（不図示）に加え、生体読取りセンサー３１０を備える。
【００３６】
この生体読取りセンサー３１０は、顧客がセットした所定部位に対するセンシング動作を行って生体情報データを取得するものである。
【００３７】
当該店舗端末３００は、記憶装置３０１、メモリ３０３、演算装置３０４、および通信装置３０５といった一般的なコンピュータ装置と同様の構成を備えている。また、その記憶装置３０１に保持されるプログラム３０２は、上述の生体読取りセンサー３１０におけ
るセンシング動作の制御機能と、センシング動作で得た生体情報データに対する所定加工（生体認証のプロトコルに応じたもの）を行う機能と、この加工済みの生体情報データをカーウォレット決済システム１００に送信する機能と、当該顧客に関してカーウォレット決済システム１００から通知された生体認証処理の結果に応じて、当該顧客による当該テナント２１での購買の内容をカーウォレット決済システム１００に通知する機能、を実装するプログラムである。
【００３８】
また図５に、本実施形態のユーザ端末２００のハードウェア構成例を示す。本実施形態のユーザ端末２００は、一般的なコンピュータ端末の構成に加え、生体読取りセンサー２１０、近距離無線通信ユニット２１１、および、デジタルカメラ２１２を備える。具体的には、生体読取りセンサー２１０、近距離無線通信ユニット２１１、および、デジタルカメラ２１２を具備したスマートフォンを想定できる（勿論、端末の種類はこれに限定しない）。
【００３９】
このユーザ端末２００は、記憶装置２０１、メモリ２０３、演算装置２０４、入力装置２０５、出力装置２０６、および通信装置２０７といった一般的なコンピュータ装置と同様の構成を備えている。なお、通信装置２０７は、ネットワーク１０のプロトコルに対応したネットワークインターフェイスカードである。
【００４０】
また、その記憶装置２０１に保持されるプログラム２０２は、上述の近距離無線通信ユニット２１１を制御してゲート２３から発信されたビーコン電波を受信する機能と、所定のブラウザ２２０を起動して上述のビーコン電波が示すＵＲＬにアクセスし、対応するＷＥＢシステムの画面を出力装置２０６に表示する機能と、当該画面を介して顧客（ユーザ端末の操作者）に対して生体読取りセンサー２１０に所定部位をセットする旨を指示する機能と、この生体読取りセンサー２１０におけるセンシング動作の制御機能と、センシング動作で得た生体情報データに対する所定加工（生体認証のプロトコルに応じたもの）を行う機能と、この加工済みの生体情報データを上述のＷＥＢシステムを介してカーウォレット決済システム１００に送信する機能と、を実装するプログラムである。
【００４１】
また図６に、本実施形態における駐車料金精算装置２４のハードウェア構成例を示す。本実施形態の駐車料金精算装置２４は、精算処理を行おうとしている顧客の生体情報をセンシングする生体読取りセンサー２４１、ビーコン発信器２４２、コンピュータ２３３、および、顧客に対する適宜なアナウンス音声等の出力や駐車券読込等を実行する駐車券処理機構２４４、を備える。
【００４２】
このうちコンピュータ２４３は、記憶装置２４３１、メモリ２４３３、演算装置２４３４、入力装置２４３５、出力装置２４３６、および通信装置２４３７といった一般的なコンピュータ装置と同様の構成を備えている。その記憶装置２４３１に保持されるプログラム２４３２は、駐車券処理機構２４４で読み込んだ駐車券から駐車開始時刻の値を読み取り、これを現在時刻と比較して差分時間を算定することで駐車時間を特定し、これに応じた所定の駐車料金を計算する機能と、この駐車料金を出力装置２４３６に表示し、顧客が入力装置２４３５にセットした決済手段（例：クレジットカードや現金）に基づく駐車料金の精算処理を行う機能と、生体読取りセンサー２３２で得た生体情報データに対する所定加工（生体認証のプロトコルに応じたもの）を行う機能と、上述の加工済みの生体情報データをカーウォレット決済システム１００に送信する機能と、カーウォレット決済システム１００からの指示に応じて、当該顧客による購買活動に伴う商品代金等の精算処理を上述の駐車料金精算と同様に実行する機能と、を実装するプログラムである。
【００４３】
また、ビーコン発信器２４２は、所定ＵＲＬの情報を含むビーコン電波を、例えば所定時間毎に所定範囲に向けて発信する装置である。なお、上述のＵＲＬは、カーウォレット
決済システム１００が提供するＷＥＢシステムのＵＲＬである。このＷＥＢシステムは、ユーザ端末２００を操作中の顧客に対して生体読取りセンサー２４１への所定部位のセットを誘導し、当該生体読取りセンサー２４１での生体情報データをカーウォレット決済システム１００に送信するものとなる。
−−−データ構造例−−−
【００４４】
続いて、本実施形態のカーウォレット決済システム１００が用いるテーブル類について説明する。図７に、本実施形態における管理テーブル１２５の一例を示す。
【００４５】
この管理テーブル１２５は、上述のショッピングモール２０を利用する顧客の生体認証用情報と、当該顧客の車両２５の識別情報と、当該顧客が利用する決済手段の情報と、を対応付けて格納したテーブルである。
【００４６】
そのデータ構造は、例えば、顧客のＩＤをキーとして、当該顧客に関して予め得ている、氏名、住所、連絡先、生体情報データのテンプレート（生体認証用情報）、当該顧客の車両２５の車両ナンバー、当該顧客がショッピングモール２０で利用するクレジットカードやデビットカード、電子マネーカード、或いは現金といった決済手段の情報、および、当該顧客が現在ショッピングモール２０を訪れてゲート２３でのチェックイン済み（後述）か否かのステータス、などの値を対応付けたレコードの集合体となっている。
【００４７】
なお、この管理テーブル１２５にレコードが登録された顧客は、ショッピングモール２０の訪問に先だって、予め所定の登録手続を行った顧客である。この登録手続に伴う情報の格納手法等について説明は省略するが、一般的なユーザ登録手続と同様のものを適宜採用すれば良い。
【００４８】
また、この管理テーブル１２５のレコードにおいては、車両２５の車両ナンバーに対し、複数顧客のテンプレートおよび決済手段の情報が対応付けているとしてもよい。また、この管理テーブル１２５のレコードにおける、車両ナンバーには、図７で例示するように、対応する車両２５の属性値も対応付けられていると好適である。例えば、個人の顧客が使用する自家用車両、不特定多数の乗客が一時的に利用する観光バスやタクシー等の商用車両、といった属性値が該当する。
【００４９】
図８に本実施形態の購買データベース１２６の一例を示す。この購買データベース１２６は、顧客がショッピングモール２０の各テナント２１で購買活動を行った際の、それぞれの購買の内容を蓄積したデータベースである。
【００５０】
そのデータ構造は、顧客のＩＤをキーとして、当該顧客が決済実行者であるか否かを示す値、当該顧客が決済実行者でない場合の真の決済実行者（当該顧客と同じ車両２５に乗車していた他の顧客。例：当該顧客の親や祖父母など）、当該顧客が購買活動を行ったテナント２１のＩＤ、当該テナント２１での購買対象となった商品のＩＤ、購買金額、購買日時、および、決済未済といったデータから成るレコードの集合体である。このうち決済未済の値については後述する。
−−−フロー例１−−−
【００５１】
以下、本実施形態におけるカーウォレット決済方法の実際手順について図に基づき説明する。以下で説明するカーウォレット決済方法に対応する各種動作は、カーウォレット決済システム１００がメモリ等に読み出して実行するプログラムによって実現される。そして、このプログラムは、以下に説明される各種の動作を行うためのコードから構成されている。
【００５２】
図９は、本実施形態におけるカーウォレット決済方法のフロー例１を示す図である。ここではまず、ショッピングモール２０を訪れようとする顧客が、その登録手続を行う場合に、カーウォレット決済システム１００が実行する処理について示す。
【００５３】
上述の顧客は、自身のユーザ端末２００（或いはショッピングモール２０に設置された所定の登録用端末等も想定出来る）を操作し、カーウォレット決済システム１００にアクセスする。
【００５４】
この場合、カーウォレット決済システム１００は、ネットワーク１０を介してユーザ端末２００に登録手続用画面を表示させる（ｓ１００）。この登録手続用画面は、顧客の氏名、住所、連絡先、車両ナンバー、車両属性、ショッピングモール２０で使用予定のクレジットカードなどの決済手段、および、運転免許証情報といった情報の入力を受け付けるインターフェイスを含んでいる。顧客は、この登録手続用画面にて、上述のインターフェイスに応じて情報の入力を行う。
【００５５】
一方、ユーザ端末２００は、上述の登録手続用画面を介して顧客による情報の入力を受け付け、更に、当該顧客の所定部位を生体読取りセンサー２１０にセットするようメッセージを出力する（ｓ１０１）。顧客は、このメッセージを認識して、自身の所定部位を生体読取りセンサー２１０にセットする。
【００５６】
この場合、ユーザ端末２００は、生体読取りセンサー２１０において、上述の顧客の所定部位に対するセンシング動作を実行させ、当該顧客の生体情報データを取得する（ｓ１０２）。
【００５７】
また、ユーザ端末２００は、上述の顧客に対して、運転免許証やパスポートなど本人確認書類の提示メッセージを出力し、当該顧客が提示した該当書類に対して、例えばデジタルカメラ２１２によるイメージ取得と、該当書類における本人確認用情報（例：氏名、住所、連絡先、免許証番号、パスポート番号など）の読み取り処理を行う（ｓ１０３）。  なお、上述の本人確認書類がＩＣチップ等の記憶媒体を具備するか、本人確認書類自体がそうした記憶媒体であり、ユーザ端末２００もＩＣチップ等のリーダーユニットを備える構成を想定してもよい。その場合、ユーザ端末２００は、その記憶媒体から本人確認用情報を直接読み取るとしてもよい。
【００５８】
また、ユーザ端末２００は、ｓ１０１でユーザから受け付けた情報と、ｓ１０２で得た生体情報データ、および、ｓ１０３で得た本人確認情報を、をカーウォレット決済システム１００に送信する（ｓ１０４）。
【００５９】
なお、上述のようにユーザ端末２００からカーウォレット決済システム１００に送信される生体情報データは、好ましくは、ユーザ端末２００が、本願出願人が開発済みのテンプレート公開型生体認証基盤（参考。http://www.hitachi.co.jp/rd/portal/contents/story/pbi/index.html）のプロトコルに沿って加工した所定データ（生体情報テンプレート）である。
【００６０】
カーウォレット決済システム１００は、上述のｓ１０１でユーザから受け付けた情報、ｓ１０２で得た生体情報データ、および、ｓ１０３で得た本人確認情報を、をユーザ端末２００から受信し、このうちｓ１０１でユーザから受け付けた情報とｓ１０２で得た生体情報データを、管理テーブル１２５に格納する（ｓ１０５）。
【００６１】
この格納の際、カーウォレット決済システム１００は、例えば、格納順に数値部分の値をインクリメントして生成した顧客ＩＤをキーとしたレコードを生成し、当該レコードに
、当該顧客の氏名、連絡先、生体情報テンプレート、車両ナンバー、車両属性、および、決済手段（クレジットカード情報）、の各値を格納するものとする。
【００６２】
ここで生体情報テンプレートと称するデータは、ユーザ端末２００の生体読取りセンサー２１０で得た生体情報データに対し、ユーザ端末２００自身で、或いはカーウォレット決済システム１００が、テンプレート公開型生体認証基盤に沿った所定アルゴリズムで加工を行って得たデータとする。
【００６３】
次に、カーウォレット決済システム１００は、ｓ１０１でユーザから受け付けた情報と、ｓ１０３で得た本人確認情報とが一致するか判定する（ｓ１０６）。この場合、カーウォレット決済システム１００は、ｓ１０１でユーザが入力した情報と、ｓ１０３で本人確認書類から得た本人確認情報とについて、当該顧客の氏名、住所、連絡先、および、運転免許証情報（或いはパスポート番号）の各項目が一致するか判定する。
【００６４】
上述の判定の結果、いずれかの項目について情報が一致していないことが判明した場合（ｓ１０６：ｎ）、カーウォレット決済システム１００は、ｓ１０５で格納した情報の削除を行うと共に、再登録を要請する通知をユーザ端末２００に返し、処理をｓ１００に戻す（ｓ１０７）。
【００６５】
他方、上述の判定の結果、各項目について情報が一致していることが判明した場合（ｓ１０６：ｙ）、カーウォレット決済システム１００は、処理を終了する。
【００６６】
以上のフローにより、ショッピングモール２０を訪れて購買活動を行う各顧客に関して、本実施形態のカーウォレット決済方法を適用するために必要な情報を収集し、管理テーブル１２５を構成するに至った。
−−−フロー例２−−−
【００６７】
次に、上述のフロー例１にて登録手続の対象となった顧客が、実際に車両２５に乗車してショッピングモール２０を訪れ、決済実行者を登録するためのチェックイン手続に関する処理について図に基づき説明する。図１０は、本実施形態におけるカーウォレット決済方法のフロー例２を示す図である。
【００６８】
ここで、上述の顧客が、乗車してきた車両２５を運転して、ショッピングモール２０の駐車場出入口におけるゲート２３に到着したとする。
【００６９】
このゲート２３は、接近してきた車両２５の存在を適宜なセンサー類で感知し、駐車券処理機構２３４による、アナウンス音声等の出力や駐車券の発券など駐車場に一般的な手続動作を実行すると共に、当該車両２５のナンバープレートをデジタルカメラ２３１で撮影する（ｓ２００）。
【００７０】
また、ゲート２３は、その撮影画像から所定の文字認識アルゴリズムによって車両ナンバーを読み取り、この車両ナンバーの値を、カーウォレット決済システム１００に送信する（ｓ２０１）。
【００７１】
なお、ゲート２３は、上述のｓ２００での撮影と並行して、ゲート２３の生体読取りセンサー２３２に所定部位をセットするようアナウンスしているものとする。このアナウンスを聞いた顧客は、ゲート２３の生体読取りセンサー２３２に自身の所定部位をセットする。ここで所定部位をセットする者は、車両２５に乗車している乗員のうち、今回のショッピングモール２０での購買活動に伴う決済の実行者、とする。従って、上述のアナウンスでも、「今回のお買い物で決済を行う方の所定部位を、生体読取りセンサーにセットし
てください」といった内容を伝えることになる。
【００７２】
ゲート２３は、生体読取りセンサー２３２において、当該顧客の所定部位に対するセンシング動作を実行して生体情報データを取得し、これを、カーウォレット決済システム１００に送信する（ｓ２０２）。
【００７３】
なお、上述の例では、顧客がゲート２３の生体読取りセンサー２３２に所定部位をセットする形態を示したが、顧客が携行しているユーザ端末２００を利用する形態も想定出来る。この場合、ゲート２３は、ビーコン発信器２３６によってビーコン電波を発信している。
【００７４】
そうした構成の場合、ユーザ端末２００は、上述のビーコン発信器２３６が発信するビーコン電波を、近距離無線通信ユニット２１１にて受信し、当該ビーコン電波が示すＵＲＬにアクセスする。既に述べたように、このＵＲＬは、カーウォレット決済システム１００が提供するＷＥＢシステムのＵＲＬである。
【００７５】
このユーザ端末２００を操作する顧客は、上述のＷＥＢシステムの画面を閲覧し、当該画面での指示に応じて、ユーザ端末２００の生体読取りセンサー２１０に所定部位をセットする。生体読取りセンサー２１０は、当該顧客の所定部位に対するセンシングを行って生体情報データを取得する。またユーザ端末２００は、この生体情報データをＷＥＢシステムを介してカーウォレット決済システム１００に送信する。つまり、上述のｓ２０２と同様の処理がなされることになる。
【００７６】
次に、カーウォレット決済システム１００は、ゲート２３から送信された、当該顧客の乗車してきた車両２５の車両ナンバーと、当該顧客の生体情報データとを受信する（ｓ２０３）。
【００７７】
また、カーウォレット決済システム１００は、ｓ２０３で得た車両ナンバーの値をキーに、管理テーブル１２５を検索し、各レコードのうち車両ナンバーの値が一致するものを特定する（ｓ２０４）。既に述べたように、１台の自家用車に対する家族全員の紐付け、或いは、観光バスに対するツアー観光客全員の紐付け、など、１台の車両２５に複数の顧客が紐付けされている事態は、管理テーブル１２５のレコードにおいて生じうる。よって、当該ｓ２０４で特定されるレコードは、１つとは限らず、複数の場合もある。
【００７８】
続いて、カーウォレット決済システム１００は、ｓ２０４で特定したレコードが示す生体情報テンプレートと、ｓ２０３で得ている生体情報データとの照合による生体認証処理を実行する（ｓ２０５）。この生体認証処理自体は、例えば上述のテンプレート公開型生体認証基盤による技術を適宜に採用すればよい。
【００７９】
上述の生体認証処理の結果、決済実行者として指定された顧客の認証に失敗した場合（ｓ２０６：ｎ）、カーウォレット決済システム１００は、所定のエラーメッセージをゲート２３に返し（ｓ２０７）、処理を終了する。この場合、ゲート２３は、このエラーメッセージに応じて、「チェックインに失敗致しました。登録済みの方の所定部位を正しくセットしなおして下さい。」などといったアナウンスを出力すると共に、ゲート機構２３５の開動作を行って処理を終了する（或いは、当該フローのｓ２０２に戻る）。
【００８０】
他方、上述の生体認証処理の結果、決済実行者として指定された顧客の認証に成功した場合（ｓ２０６：ｙ）、カーウォレット決済システム１００は、当該顧客の決済手段を管理テーブル１２５で特定する（ｓ２０８）。
【００８１】
カーウォレット決済システム１００は、ｓ２０８で特定した決済手段がクレジットカードである場合（ｓ２０９：ｙ）、例えばクレジットカード会社の所定システムに対して有効性確認の要求を行い、その確認結果を取得する（ｓ２１０）。
【００８２】
他方、ｓ２０８で特定した決済手段がクレジットカードではない場合（ｓ２０９：ｎ）、カーウォレット決済システム１００は、処理をｓ２１２に遷移させる。
【００８３】
上述のｓ２１０で得た確認結果が、当該クレジットカードの有効性を示すものであった場合（ｓ２１１：ｙ）、カーウォレット決済システム１００は、上述の顧客、すなわち決済実行者に関して管理テーブル１２５での登録内容に問題が無いと特定し、管理テーブル１２５の当該顧客のレコードにおけるチェックイン欄に「ｙ」、すなわちチェックイン済みの値を設定し（ｓ２１２）、その旨をゲート２３に通知する。この場合、ゲート２３は、チェックイン成功の旨をアナウンスすると共に、ゲート機構２３５の開動作を行う。
【００８４】
他方、上述のｓ２１０で得た確認結果が、当該クレジットカードは無効であることを示すものであった場合（ｓ２１１：ｎ）、カーウォレット決済システム１００は、当該顧客に関して登録されている決済手段は無効である旨を示すメッセージをゲート２３に返し、処理を終了する。この場合、ゲート２３は、このメッセージに応じて、「御登録されているクレジットカードの有効期限を御確認の上、あらためて登録をお願い致します。」などといったアナウンスを出力すると共に、ゲート機構２３５の開動作を行って処理を終了する。
【００８５】
上述のチェックインの成否に関わらず、駐車券の発券とこれの受取確認など通常の駐車手続が完了すれば、ゲート２３におけるゲート機構２３５の開動作は行われる。よって、いずれにせよゲート機構２３５が開くことで進入路を得た車両２５は、顧客の運転によって駐車場２２へ進入し、駐車されることになる。但し、チェックインに失敗した顧客に関しては、本実施形態のカーウォレット決済方法は適用されず、従来通りの決済がなされる。
−−−フロー例３−−−
【００８６】
次に、フロー例２で示したチェックインを経た顧客（車両２５に同乗者がいる場合は、チェックインを経ていない顧客すなわち決済実行者でない者も含みうる）は、駐車場２２からショッピングモール２０に移動し、各テナント２１で買物（購買活動）を行うことで生じる処理について図に基づき説明する。
【００８７】
図１１は、本実施形態におけるカーウォレット決済方法のフロー例３を示す図である。上述の顧客が、或るテナント２１にて所望の商品を見定め、該当商品を購入しようと店舗レジに赴いたとする。この場合、当該店舗レジにいる店舗スタッフは、当該顧客が持参した商品について、ＰＯＳリーダー等によるバーコード読み取りなど通常の精算業務を実行する。
【００８８】
店舗端末３００は、上述の商品に対するバーコード読み取りに応じて、当該商品の商品ＩＤおよび金額の各値を取得する（ｓ３００）。
【００８９】
また、上述の店舗スタッフは、当該顧客に対して、店舗端末３００に備わる生体読取りセンサー３１０に所定部位をセットするよう案内する。
【００９０】
店舗端末３００は、所定部位がセットされた生体読取りセンサー３１０において、当該顧客の所定部位に対するセンシング動作を行って生体情報データを取得する（ｓ３０１）。
【００９１】
また、店舗端末３００は、ｓ３００およびｓ３０１で得た、購買対象となった商品の商品ＩＤ、金額、購買日時、および、顧客の生体情報データと、当該テナント２１のテナントＩＤとを、カーウォレット決済システム１００に送信する（ｓ３０２）。
【００９２】
一方、カーウォレット決済システム１００は、上述の商品の商品ＩＤ、金額、テナントＩＤ、購買日時、および、顧客の生体情報データ、を店舗端末３００から受信し、このうち生体情報データに基づき当該顧客が管理テーブル１２５に登録済みであるか判定する（ｓ３０３）。
【００９３】
上述の判定の結果、当該顧客が未登録の顧客であることが判明した場合（ｓ３０４：ｎ）、カーウォレット決済システム１００は、当該顧客に関して一般的な決済処理を行うべき旨を、店舗端末３００に返し（ｓ３０５）、処理を終了する。この場合、店舗端末３００では、店舗スタッフによる操作により、当該顧客が手交したクレジットカードや現金により、商品やサービスの代金に対する通常の決済手続を行うことになる。
【００９４】
他方、上述の判定の結果、当該顧客が登録済みの顧客であることが判明した場合（ｓ３０４：ｙ）、カーウォレット決済システム１００は、当該顧客がチェックイン済みか判定する（ｓ３０６）。具体的には、上述のｓ３０３の判定で特定済みである顧客のレコードにて、チェックイン欄が「ｙ」、すなわちチェックイン済みであるか判定することになる。
【００９５】
上述の判定の結果、当該顧客がチェックインしていないことが判明した場合（ｓ３０７：ｎ）、カーウォレット決済システム１００は、当該顧客が乗車してきた車両２５の同乗者のうち、決済実行者がチェックイン済みであるか判定する（ｓ３０８）。具体的には、管理テーブル１２５における当該顧客のレコードにて車両ナンバー欄の値を読み取り、この車両ナンバーの値が同一である他のレコードのうち、チェックイン欄に「ｙ」が設定されているもの、すなわち決済実行者のレコードの有無を判定することになる。
【００９６】
上述の判定の結果、同乗者である決済実行者がチェックイン済みではないことが判明した場合（ｓ３０９：ｎ）、カーウォレット決済システム１００は、処理をｓ３０５に遷移させる。すなわち、当該顧客に関して一般的な決済処理を行うべき旨を、店舗端末３００に返し（ｓ３０５）、処理を終了する。
【００９７】
他方、上述の判定の結果、同乗者である決済実行者がチェックイン済みであることが判明した場合（ｓ３０９：ｙ）、カーウォレット決済システム１００は、ｓ３０３で得ている、テナントＩＤ、商品ＩＤ、金額、および購買日時と、当該顧客の顧客ＩＤ（ｓ３０３の判定に伴い管理テーブル１２５で特定）と、決済実行者の顧客ＩＤ（ｓ３０７の判定に伴い管理テーブル１２５で特定）とを含むレコードを生成し、これを購買データベース１２６に格納する（ｓ３１０）。
【００９８】
ここで生成、格納したレコードは、例えば図８の購買データベース１２６における、顧客ＩＤ「ｃ０００２」のレコードを想定出来る。このレコードでは、当該顧客が決済実行者ではないため決済実行者欄の値は「ｎ」、真の決済実行者欄は、上述のｓ３０７の判定で特定した決済実行者の顧客ＩＤ「ｃ０００１」、当該顧客による購買に伴う決済は決済実行者が担うため決済未済欄の値は「ｎ」、が設定されている。また、当該顧客が買物を行ったテナントのテナントＩＤは「ｓ０１０７」、その商品の商品ＩＤは「ｐ０００７」、購買金額は「￥１２，５０７」、購買日時は「２０１６／８／０１  １２：１６」となっている。
【００９９】
こうした決済実行者の同乗者に関するレコードは、同乗者による購買活動が行われるごとに生成され、購買データベース１２６に蓄積されることになる。
【０１００】
一方、上述のｓ３０６での判定の結果、当該顧客がチェックインしていることが判明した場合（ｓ３０７：ｙ）、カーウォレット決済システム１００は、当該顧客が決済実行者であると特定し、当該顧客に関して車両２５の車両属性を管理テーブル１２５で特定する（ｓ３１１）。
【０１０１】
上述の特定の結果、車両属性が「商用車両」であることが判明した場合（ｓ３１２：ｙ）、カーウォレット決済システム１００は、当該顧客の購買活動に関して決済処理を実行する（ｓ３１３）。
【０１０２】
具体的には、カーウォレット決済システム１００は、商用車両を利用して訪れた当該決済実行者たる顧客に関して、ｓ３０３で得ている、テナントＩＤ、商品ＩＤ、および金額の各値に基づき、当該テナント２１での購入商品の購入金額に関する、一般的なクレジットカード決済の処理を、適宜なクレジットカードシステム等と実行し、購買データベース１２６での該当レコードの決済未済の値を「ｙ」とする。
【０１０３】
観光バスを利用してショッピングモール２０を訪れた観光客に関しては、観光バスとの結びつきがあくまでも一時的なもので、車両による顧客個人の特定はいずれ出来なくなることを踏まえ、予め決済手段がクレジットカードのみに指定されている。よって、カーウォレット決済システム１００は、上述のｓ３１２において、迅速かつ確実な代金回収を目的として、クレジットカードによる決済処理を行うこととしている。
【０１０４】
他方、上述の特定の結果、車両属性が「自家用車両」であることが判明した場合（ｓ３１２：ｎ）、カーウォレット決済システム１００は、ｓ３０３で得ている、テナントＩＤ、商品ＩＤ、金額、および購買日時と、当該顧客の顧客ＩＤ（ｓ３０３の判定に伴い管理テーブル１２５で特定）と、決済実行者の顧客ＩＤ（当該顧客の顧客ＩＤである）とを含むレコードを生成し、これを購買データベース１２６に格納する（ｓ３１４）。
【０１０５】
ここで生成、格納したレコードは、例えば図８の購買データベース１２６における、顧客ＩＤ「ｃ０００１」のレコードを想定出来る。このレコードでは、当該顧客が決済実行者であるため決済実行者欄の値は「ｙ」、真の決済実行者欄は値無し、当該顧客による購買に伴う決済は未完了のため決済未済欄の値は「ｎ」、が設定されている。また、当該顧客が買物を行ったテナントのテナントＩＤは「ｓ２０１０」、その商品の商品ＩＤは「ｐ１２３４」、購買金額は「￥１，３５０」、購買日時は「２０１６／８／０１  １１：３１」となっている。
【０１０６】
以上のフローにより、ショッピングモール２０の各テナント２１を訪れて購買活動を行った各顧客に関して、その購買履歴を購買データベース１２６に蓄積することとなる。
【０１０７】
なお、上述のｓ３１３の実行に伴い、決済実行者たる顧客の決済手段がクレジットカードであるか判定し、決済手段がクレジットカードであった場合、当該決済実行者による購買活動に伴う決済について即実行するとしてもよい。
−−−フロー例４−−−
【０１０８】
次に、上述のフロー例３で示した如く購買活動を行い、それを終えた決済実行者たる顧客は、ショッピングモール２０の各テナント２１から駐車場２２に移動し、帰宅の途につく。こうした決済実行者たる顧客の帰宅に伴う生じる各処理について図に基づき説明する。
【０１０９】
図１２は、本実施形態におけるカーウォレット決済方法のフロー例４を示す図である。ここでは、買物を終え駐車場２２に戻った上述の顧客（決済実行者）が、駐車場２２に付帯する駐車料金精算装置２４にて、その生体読取りセンサー２４１に自身の所定部位をセットして精算処理を開始したとする。勿論、当該駐車料金精算装置２４ではなく、本実施形態のカーウォレット決済方法に対応した所定の装置であってもよく、装置の種類は限定しない。或いは、当該顧客の携行するユーザ端末２００が、上述の駐車料金精算装置２４等の所定装置が発信するビーコン電波を受信し、上述のＷＥＢシステムが提供する精算処理用の画面を表示させ、精算処理を開始する構成としてもよい。この場合、当該顧客は、精算処理用の画面で表示された情報に応じて、ユーザ端末２００の生体読取りセンサー２１０に自身の所定部位をセットし、精算処理を開始するとしてもよい。
【０１１０】
いずれにしても、駐車料金精算装置２４やユーザ端末２００等から当該顧客の生体情報データが、カーウォレット決済システム１００に送信される。
【０１１１】
カーウォレット決済システム１００は、上述の生体情報データを受信し、これに基づいて管理テーブル１２５の各レコードの生体情報テンプレートとの照合を実行して、照合に成功したレコードから当該顧客の顧客ＩＤを特定する（ｓ４００）。
【０１１２】
次に、カーウォレット決済システム１００は、ｓ４００で得た顧客ＩＤをキーに、購買データベース１２６にて当該顧客の決済実行者欄および決済未済欄の各値を取得する（ｓ４０１）。
【０１１３】
上述のｓ４０１で得た値のうち、「決済実行者」の値が「ｎ」、すなわち当該顧客が決済実行者でないことが判明した場合（ｓ４０２：ｎ１）、カーウォレット決済システム１００は処理を終了する。
【０１１４】
一方、上述のｓ４０１で得た値のうち、「決済実行者」の値が「ｙ」であり、かつ、決済未済欄の値が「ｙ」であることが判明した場合（ｓ４０２：ｙ）、カーウォレット決済システム１００は、当該顧客とその同乗者である他の顧客に関して決済処理が完了済みと特定し、ゲート２３に対し、当該顧客の車両２５の車両ナンバー（管理テーブル１２５で特定出来る）を含む退出許可指示を通知し（ｓ４０３）、処理を終了する。
【０１１５】
この場合のゲート２３は、上述の退出許可指示を受けて、当該退出許可指示の含む車両ナンバーを示す車両２５の接近を、デジタルカメラ２３１によるナンバープレートの撮影と文字認識による車両ナンバー判定の各処理を繰り返すことで検知し、該当車両２５の接近に伴ってゲート機構２３５の開動作を実行する。
【０１１６】
他方、上述のｓ４０１で得た値のうち、「決済実行者」の値が「ｙ」であり、かつ、決済未済欄の値が「ｎ」であることが判明した場合（ｓ４０２：ｎ２）、カーウォレット決済システム１００は、当該顧客とその同乗者である他の顧客に関して決済処理が完了していない特定し、当該決済実行者たる顧客の決済手段がクレジットカードであるか、管理テーブル１２５における決済手段欄の値に基づき判定する（ｓ４０４）。
【０１１７】
この判定の結果、当該顧客の決済手段がクレジットカードではないことが判明した場合（ｓ４０５：ｎ）、カーウォレット決済システム１００は、当該顧客およびその同乗者である各顧客による購買活動に関して現金での決済処理を行うべき旨を、上述の駐車料金精算装置２４に通知する（ｓ４０６）。
【０１１８】
この通知には、決済実行者たる顧客とその同乗者である各顧客の購買履歴、すなわち購
買データベース１２６の該当レコードのうち、決済未済欄の値が「ｎ」のものが示す、購買内容（少なくとも、テナントＩＤ、商品ＩＤ、購買金額、および購買日時）の情報を決済用の情報として含むものとする。駐車料金精算装置２４では、この通知を受けて、各購買金額の総計値を精算額として出力装置２４３６に表示し、入力装置２４３５を介して決済実行者たる顧客からの現金投入など精算動作を受け付け、この精算の完了次第、駐車券処理機構２４４による精算済み情報が記入された駐車券の返却動作等、駐車券精算処理を実行することとなる。
【０１１９】
この場合、カーウォレット決済システム１００は、駐車料金精算装置２４から現金決済が完了した通知を受けたならば（ｓ４０７：ｙ）、処理を上述のｓ４０３に遷移させる。この時、カーウォレット決済システム１００は、購買データベース１２６での該当レコードの決済未済の値を「ｙ」とする。
【０１２０】
他方、上述の判定の結果、当該顧客の決済手段がクレジットカードであることが判明した場合（ｓ４０５：ｙ）、カーウォレット決済システム１００は、当該顧客およびその同乗者である各顧客の購買履歴、すなわち購買データベース１２６の該当レコードのうち、決済未済欄の値が「ｎ」のものが示す、購買内容（少なくとも、テナントＩＤ、商品ＩＤ、購買金額、および購買日時）の情報を決済用の情報として抽出し、この情報に基づき、上述の決済実行者たる顧客のクレジットカードによる、クレジットカード決済の処理を、適宜なクレジットカードシステム等と実行する（ｓ４０８）。
【０１２１】
また、カーウォレット決済システム１００は、上述のクレジットカード決済の処理の完了に応じて、処理を上述のｓ４０３に遷移させる。この時、カーウォレット決済システム１００は、購買データベース１２６での該当レコードの決済未済の値を「ｙ」とする。
【０１２２】
以上のフローにより、決済実行者たる顧客により、当該顧客のみならず、その車両２５の同乗者による購買活動と、それに伴う決済について手間無く効率的に処理がなされることとなる。
−−−その他の例−−−
【０１２３】
なお、上述で示した、特定の商業施設の駐車場に顧客が車両を駐車し、当該商業施設で購買活動を行う状況に関してのみカーウォレット決済方法を適用する、といった形態とは異なる他の構成も想定しうる。
【０１２４】
例えば、或る商業施設の駐車場に車両を駐車した顧客であっても、その近隣に存在する他施設（前述の商業施設との資本関係の有無は問わない）での購買活動に関してもカーウォレット決済方法を適用する形態を想定出来る。
【０１２５】
この場合、カーウォレット決済システム１００は、上述の他施設での購買履歴のデータを、当該他施設の所定装置から取得し、これを購買データベース１２６に蓄積する。また、カーウォレット決済システム１００は、この購買データベース１２６に蓄積した、自他の各施設に関する購買履歴に基づき、上述のフロー例４を実行することとなる。
【０１２６】
なお、この場合の駐車場は、特定の商業施設の駐車場ではなく、コインパーキングや、個人経営の駐車場、公共施設等の臨時駐車場など、様々なものを想定出来る。
【０１２７】
以上、本発明を実施するための最良の形態などについて具体的に説明したが、本発明はこれに限定されるものではなく、その要旨を逸脱しない範囲で種々変更可能である。
【０１２８】
こうした本実施形態によれば、自動車利用の顧客による複数店舗での購買に伴う決済を
効率化し、当該顧客における決済の手間を低減可能となる。
【０１２９】
本明細書の記載により、少なくとも次のことが明らかにされる。すなわち、本実施形態のカーウォレット決済システムにおいて、前記演算装置は、前記決済処理に際し、当該顧客の決済手段が現金の場合、当該顧客が前記所定領域から車両で退出する際に、当該顧客が支払う現金に基づく決済処理を実行するものである、としてもよい。
【０１３０】
これによれば、決済手段としてクレジットカードやデビットカード、或いは電子マネーカードを保有しない顧客であっても、本実施形態のカーウォレット決済手法に対応した購買活動が可能となる。ひいては、自動車利用の顧客による複数店舗での購買に伴う決済を効率化し、当該顧客における決済の手間を低減可能となる。
【０１３１】
前記記憶装置は、前記管理テーブルにおいて、前記車両の識別情報に対し、１または複数の顧客の生体認証用情報および決済手段の情報を対応付けて格納しているものであり、前記演算装置は、前記生体認証用情報を特定する処理に際し、前記所定領域に入った車両から取得した当該車両の識別情報を、前記管理テーブルに照合して、車両に関して当該識別情報が一致する、１または複数の顧客の生体認証用情報を特定し、前記購買の内容を記憶装置に蓄積する処理に際し、前記車両に乗車している１または複数の顧客のうち、決済実行者である顧客から読み取った生体情報と、前記特定した１または複数の生体認証用情報とに基づく生体認証に成功した場合、当該車両に乗車していた１または複数の顧客それぞれによる前記施設における複数店舗それぞれでの購買の機会に際し、当該購買を行う顧客から読み取った生体情報に基づく生体認証を行い、当該生体認証に成功した場合、前記決済実行者たる顧客に関して当該購買の内容を記憶装置に蓄積し、前記決済処理に際し、前記決済実行者たる顧客の決済手段がカード決済の場合、当該顧客が前記所定領域から車両で退出する際または前記購買に伴う決済の際に、当該決済手段たるカードの情報に基づく、前記蓄積した購買の内容に応じた決済処理を実行するものである、としてもよい。
【０１３２】
これによれば、例えば１台の車両に家族数人が同乗してショッピングモール等に来店した場合、家族各自が各店舗で行った購買に関して、今回決済を行う者（決済実行者）の決済手段によりまとめて決済を行うことが可能となる。ひいては、同じ自動車を利用して来店した顧客の人数によらず、各顧客による複数店舗での購買に伴う決済を、更に効率化し、当該顧客らにおける決済の手間をより一層低減可能となる。
【０１３３】
また、本実施形態のカーウォレット決済システムにおいて、前記記憶装置は、前記管理テーブルにおいて、前記所定施設を利用する顧客の生体認証用情報と、当該顧客が前記所定施設の訪問に一時的に利用する所定車両の識別情報と、当該顧客が利用する決済手段の情報と、を対応付けて記憶するものであり、前記演算装置は、前記生体認証用情報を特定する処理に際し、前記所定領域に入った、前記所定車両から取得した当該車両の識別情報を、前記管理テーブルに照合して、車両に関して当該識別情報が一致する顧客の生体認証用情報を特定し、前記購買の内容を記憶装置に蓄積する処理に際し、前記所定車両に乗車している顧客から読み取った生体情報と、前記特定した生体認証用情報とに基づく生体認証に成功し、かつ、当該顧客に関して所定決済手段が前記管理テーブルに登録済みである場合、当該顧客による前記施設における複数店舗それぞれでの購買の機会に際し、当該顧客から読み取った生体情報に基づく生体認証を行い、当該生体認証に成功した顧客に関して当該購買の内容を記憶装置に蓄積し、前記決済処理に際し、当該顧客が前記所定領域から前記所定車両で退出する際または前記購買に伴う決済の際に、前記所定決済手段の情報に基づく、前記蓄積した購買の内容に応じた決済処理を実行し、前記指示を通知する処理に際し、前記所定車両に乗車する各顧客の前記決済処理が完了したことに応じて、前記所定領域における入退出制御装置に対し、当該車両での退出を許可する指示を通知するものである、としてもよい。
【０１３４】
これによれば、例えば観光バスやタクシー等の商用車両に、多数の者が同乗してショッピングモール等に来店した場合、その商用車両の乗客たる顧客各自が各店舗で行った購買に関して、本実施形態のカーウォレット決済手法に対応した購買活動が可能となる。また、この場合、車両と常に一意に紐付いていない当該顧客に関して使用する決済手段をクレジットカード等の所定の決済手段に限定することで、購買に関する代金回収漏れ等の不具合を事前に回避することも出来る。ひいては、来店に利用する車両の属性に対応して当該顧客による複数店舗での購買に伴う決済を効率化し、当該顧客における決済の手間を低減可能となる。
【０１３５】
また、本実施形態のカーウォレット決済方法において、前記情報処理システムが、前記決済処理に際し、当該顧客の決済手段が現金の場合、当該顧客が前記所定領域から車両で退出する際に、当該顧客が支払う現金に基づく決済処理を実行する、としてもよい。
【０１３６】
また、本実施形態のカーウォレット決済方法において、前記情報処理システムが、前記記憶装置の、前記管理テーブルにおいて、前記車両の識別情報に対し、１または複数の顧客の生体認証用情報および決済手段の情報を対応付けて格納し、前記生体認証用情報を特定する処理に際し、前記所定領域に入った車両から取得した当該車両の識別情報を、前記管理テーブルに照合して、車両に関して当該識別情報が一致する、１または複数の顧客の生体認証用情報を特定し、前記購買の内容を記憶装置に蓄積する処理に際し、前記車両に乗車している１または複数の顧客のうち、決済実行者である顧客から読み取った生体情報と、前記特定した１または複数の生体認証用情報とに基づく生体認証に成功した場合、当該車両に乗車していた１または複数の顧客それぞれによる前記施設における複数店舗それぞれでの購買の機会に際し、当該購買を行う顧客から読み取った生体情報に基づく生体認証を行い、当該生体認証に成功した場合、前記決済実行者たる顧客に関して当該購買の内容を記憶装置に蓄積し、  前記決済処理に際し、前記決済実行者たる顧客の決済手段がカード決済の場合、当該顧客が前記所定領域から車両で退出する際または前記購買に伴う決済の際に、当該決済手段たるカードの情報に基づく、前記蓄積した購買の内容に応じた決済処理を実行する、としてもよい。
【０１３７】
また、本実施形態のカーウォレット決済方法において、前記情報処理システムが、前記記憶装置の、前記管理テーブルにおいて、前記所定施設を利用する顧客の生体認証用情報と、当該顧客が前記所定施設の訪問に一時的に利用する所定車両の識別情報と、当該顧客が利用する決済手段の情報と、を対応付けて記憶し、前記生体認証用情報を特定する処理に際し、前記所定領域に入った、前記所定車両から取得した当該車両の識別情報を、前記管理テーブルに照合して、車両に関して当該識別情報が一致する顧客の生体認証用情報を特定し、前記購買の内容を記憶装置に蓄積する処理に際し、前記所定車両に乗車している顧客から読み取った生体情報と、前記特定した生体認証用情報とに基づく生体認証に成功し、かつ、当該顧客に関して所定決済手段が前記管理テーブルに登録済みである場合、当該顧客による前記施設における複数店舗それぞれでの購買の機会に際し、当該顧客から読み取った生体情報に基づく生体認証を行い、当該生体認証に成功した顧客に関して当該購買の内容を記憶装置に蓄積し、前記決済処理に際し、当該顧客が前記所定領域から前記所定車両で退出する際または前記購買に伴う決済の際に、前記所定決済手段の情報に基づく、前記蓄積した購買の内容に応じた決済処理を実行し、前記指示を通知する処理に際し、前記所定車両に乗車する各顧客の前記決済処理が完了したことに応じて、前記所定領域における入退出制御装置に対し、当該車両での退出を許可する指示を通知する、としてもよい。
【符号の説明】
【０１３８】
１０    ネットワーク
２０    ショッピングモール（施設）
２１    テナント（店舗）
２２    駐車場（所定領域）
２３    ゲート（入退出制御装置）
２３１  デジタルカメラ
２３２  生体読取りセンサー
２３３  コンピュータ
２３３１  記憶装置
２３３２  プログラム
２３３３  メモリ
２３３４  演算装置
２３３５  通信装置
２３４  駐車券処理機構
２３５  ゲート機構
２３６  ビーコン発信器
２４    駐車料金精算装置
２４１  生体読取りセンサー
２４２  ビーコン発信器
２４３  コンピュータ
２４３１  記憶装置
２４３２  プログラム
２４３３  メモリ
２４３４  演算装置
２４３５  入力装置
２４３６  出力装置
２４３７  通信装置
２４４  駐車券処理機構
２５    車両
１００  カーウォレット決済システム
１０１  記憶装置
１０２  プログラム
１０３  メモリ
１０４  演算装置
１０５  通信装置
１２５  管理テーブル
１２６  購買データベース
２００  ユーザ端末
２０１  記憶装置
２０２  プログラム
２０３  メモリ
２０４  演算装置
２０５  入力装置
２０６  出力装置
２０７  通信装置
２１０  生体読取りセンサー
２１１  近距離無線通信ユニット
２１２  デジタルカメラ
３００  店舗端末
３０１  記憶装置
３０２  プログラム
３０３  メモリ
３０４  演算装置
３０５  通信装置
３１０  生体読取りセンサー
【図１】
2018041181.tif 000003
【図２】
2018041181.tif 000004
【図３】
2018041181.tif 000005
【図４】
2018041181.tif 000006
【図５】
2018041181.tif 000007
【図６】
2018041181.tif 000008
【図７】
2018041181.tif 000009
【図８】
2018041181.tif 000010
【図９】
2018041181.tif 000011
【図１０】
2018041181.tif 000012
【図１１】
2018041181.tif 000013
【図１２】
2018041181.tif 000014